(57)【特許請求の範囲】
【請求項１】
丸棒の側面に１個のネジ孔又は軸方向に沿って整列させた複数個のネジ孔を形成した回動軸を軸支する軸受部分とその軸受部分を支持する基台部分とが一体的に形成されており、前記軸受部分における前記基台部分側に対して反対側に相当する面は軸心を中心とした略円弧状曲面にて構成され、またその円弧状曲面における前記回動軸のネジ孔に対応する位置には周方向に沿って長孔が形成されていると共に、前記回動軸と前記軸受部分との間にネジ孔が長孔の形成範囲を越えて軸方向及び周方向へ移動・回動しないように拘束する拘束機構を設けたアダプタと、前記アダプタ側のネジ孔に対応する位置に貫通孔を構成した電子機器とからなり、前記アダプタの基台部分を前記電子機器の設置箇所に固定し、前記電子機器の貫通孔に固定用ネジを貫通させて、前記アダプタ側のネジ孔に螺合・締着させることにより、前記電子機器を前記アダプタに固定することを特徴とした電子機器の設置方式。
【請求項２】
前記アダプタの軸受部分と基台部分は、金属板に対するプレス加工によって形成され、予め前記軸受部分の上側と下側を構成する各区間をスリットで分割しておくと共に上側構成区間に長孔を形成しておき、前記の上側構成区間を略円弧状曲面が形成されるように隆起せしめ、前記の下側構成区間を双峰波形状に隆起せしめることにより回動軸が内嵌する軸受部分を構成したものである請求項１記載の電子機器の設置方式。
【請求項３】
前記アダプタと前記電子機器との間に、前記固定用ネジが貫通する孔を形成したゴム製板又は樹脂製板、若しくは前記アダプタとの当接側にゴム製板又は樹脂製板を貼着した金属板を挟装させるようにした請求項１又は請求項２記載の電子機器の設置方式。
【請求項４】
前記電子機器の筐体が、前記固定用ネジの貫通位置における前記アダプタ側のカバーとその反対側にあるカバーとの間に筒状スタッドを立設・介装させた構造を具備し、前記固定用ネジが前記筒状スタッドを貫通して前記アダプタ側のネジ孔に螺合・締着されるようにした請求項１、請求項２、又は請求項３の電子機器の設置方式。
【発明の詳細な説明】
【０００１】
【発明の属する技術分野】
本発明は電子機器の設置方式に係り、軽量で小型の無線機や測定機等を対象として、その傾斜角度の調整機能を具備させながら、幅の狭いスペースに設置する場合に適用される方式に関する。
【０００２】
【従来の技術】
近年、電子回路素子の飛躍的な集積化に伴い、アマチュア無線機や業務用無線機も小型・薄型化が図られ、特にモータリゼーションと相俟ってモービル運用される局数の増大が目覚しい。
一般に、車載用の無線機は自動車のダッシュボードに収容した状態で取り付けて車中で運用されることが多いが、前記のように無線機が小型化されたというものの、ダッシュボードのスペースにも限界があるために比較的窮屈な設置態様となる。
【０００３】
従来から、車載用の無線機の設置に際しては、図９及び図１０に示すような構成が採用されている。
各図において、５１は無線機、５２はブラケットである。
ここに、ブラケット５２は、金属板をプレス加工でＵ字状に形成したものであって、底板部分５３と両側板部分５４，５５とからなり、その底板部分５３の適所には通常４個程度の取り付け用の孔が穿設されており、ブラケット５２はそれらの孔を利用してダッシュボード５６側の棚面にビス止め固定される。
また、ブラケット５２の両側板部分５４，５５には、それぞれの板面の同一位置に丸孔５７とその丸孔５７の中心とする円弧に沿って形成された長孔５８が穿設されている。
【０００４】
一方、無線機５１の両側面カバー５９，６０には、それぞれ前記円弧の半径に相当する距離を隔てて２つのネジ孔が水平方向に形成されており、ネジ６１，６２をブラケット５２側の丸孔５７と長孔５８を通じて無線機５１側の各ネジ孔に螺着することによって、無線機５１をブラケット５２の両側板部分５４，５５の間に横架させる。
その場合、無線機５１の両側面カバー５９，６０に螺着された各ネジ６２は両側板部分５４，５５の各長孔５８に沿って移動できるため、無線機５１は両側面カバー５９，６０の各ネジ６１の軸を結んだ直線を中心に揺動可能な状態で横架されていることになり、所要の傾斜角度に調整して各ネジ６２を締め付ければ、無線機５１をその角度で固定できる。
【０００５】
ダッシュボードに収容される車載用の無線機では、操作者の目線の高さと無線機の操作パネルの高さに相当の差が生じて操作者が操作パネルを正面から見ることができず、また操作パネルに液晶表示部が設けられている場合には視野角に制限があることから無線機の運用状態やデータの確認が困難になるため、前記の傾斜角度の調整・固定機能は良好な操作性を確保する上で必要不可欠である。
【０００６】
【発明が解決しようとする課題】
ところで、一般に、無線機や測定機等の電子機器の操作パネルは横長の長方形になっていることが多いが、その設置場所によっては充分な幅を確保できない場合が少なくない。
例えば、前記の車載用の無線機についてみれば、ダッシュボードの幅によって制約を受けることになり、図１０に示すように、ブラケット５２はダッシュボード５６の枠内に収まるが、ダッシュボード５６の両側壁面６３，６４とブラケット５２の両側板部分５４，５５との間隔が非常に狭くなるような場合がある。
【０００７】
その場合、ブラケット５２に無線機５１を横架させた状態ではダッシュボード５６にブラケット５２をビス止めできず、ブラケット５２をダッシュボード５６に取り付けた後に無線機５１をブラケット５２に取り付けるようにしても、ネジ６１，６２を螺着することが困難であり、無線機５１の傾斜角度を調整しながらネジ６２を締め付けて固定する作業は不可能に近い。
【０００８】
そこで、本発明は、電子機器の傾斜角度を調整設定できる機能を具備させて、その電子機器を棚面や壁面に設置する場合に、設置場所の幅に十分な余裕がないときにも、支障なく取り付けることができる方式を提供することを目的として創作された。
【０００９】
【課題を解決するための手段】
本発明は、丸棒の側面に１個のネジ孔又は軸方向に沿って整列させた複数個のネジ孔を形成した回動軸を軸支する軸受部分とその軸受部分を支持する基台部分とが一体的に形成されており、前記軸受部分における前記基台部分側に対して反対側に相当する面は軸心を中心とした略円弧状曲面にて構成され、またその円弧状曲面における前記回動軸のネジ孔に対応する位置には周方向に沿って長孔が形成されていると共に、前記回動軸と前記軸受部分との間にネジ孔が長孔の形成範囲を越えて軸方向及び周方向へ移動・回動しないように拘束する拘束機構を設けたアダプタと、前記アダプタ側のネジ孔に対応する位置に貫通孔を構成した電子機器とからなり、前記アダプタの基台部分を前記電子機器の設置箇所に固定し、前記電子機器の貫通孔に固定用ネジを貫通させて、前記アダプタ側のネジ孔に螺合・締着させることにより、前記電子機器を前記アダプタに固定することを特徴とした電子機器の設置方式に係る。
【００１０】
本発明において、アダプタはその基台部分を棚面や壁面に取り付けることにより固定される。ここに、固定手段としては、基台部分に孔を穿設しておいてビス止めする方法が一般的であるが、その他の機械的固定手段や接着手段であってもよい。
電子機器は、載置態様で設置する場合にはその底面カバーが、懸垂態様で設置する場合には上面カバーが軸受部分の略円弧状曲面に接した状態で、固定用ネジによって回動軸に取り付けられるが、回動軸のネジ孔は軸受部分の略円弧状曲面に形成されている長孔に沿って移動できるため、固定用ネジを締め付けない状態において、電子機器は回動軸の軸心の廻りに回動可能である。
したがって、固定用ネジを締め付けない状態で、電子機器を所望の傾斜角度に調整でき、その調整された角度で固定用ネジを締め付ければ、軸受部分に対して電子機器を固定することができる。
その場合に、固定用ネジの締め付け作業は、載置態様で設置する場合には上側から、懸垂態様で設置する場合には下側から行えるため、設置場所に要求される幅は電子機器の幅より僅かに大きければ足りる。
また、回動軸と軸受部分との間に構成された拘束機構は常にネジ孔を長孔の形成範囲内に位置させ、前記作業を容易にする役割を果たす。
尚、回動軸のネジ孔の数は複数か単一かを問わないが、複数の場合にはより強固に固定でき、単一の場合には電子機器を固定用ネジの廻りに回動させて操作パネル面の角度を調整することができるという利点がある。
【００１１】
前記アダプタの軸受部分と基台部分は、切削加工や鋳造又は樹脂成型による部品であってもよいが、プレス加工によって簡単に製造できる。
具体的には、金属板に対して、予め軸受部分の上側と下側を構成する各区間をスリットで分割しておくと共に上側構成区間に長孔を形成しておき、上側構成区間を略円弧状曲面が形成されるように隆起せしめ、下側構成区間を双峰波形状に隆起せしめることにより回動軸が内嵌する軸受部分を構成でき、隆起せしめた範囲以外を基台部分とすればよい。
【００１２】
ところで、電子機器はアダプタの略円弧状曲面に接した状態で固定されることになるが、回動方向に関しては双方の接合面での摩擦によって回動が拘束されている。
その場合、接合面での摩擦係数はそれほど大きいものではなく、また接合面積も小さいことから、各固定用ネジの締着力を大きくしなければ十分な拘束条件が得られない。
この問題に対しては、アダプタと電子機器との間に、固定用ネジが貫通する孔を形成したゴム製板又は樹脂製板、若しくはアダプタとの当接側にゴム製板又は樹脂製板を貼着した金属板を挟装させることが合理的である。
【００１３】
また、一般的に、電子機器の筐体構造は内部シャーシに上面カバーや底面カバーを取り付けたものが多く、それらカバーは板面として十分な剛性を有していない。
したがって、各固定用ネジを強く締め付けると、カバーが撓んで変形すると共に、前記の回動方向に対する十分な拘束条件を与えることができなくなる。
この問題に対しては、電子機器の筐体構造を工夫し、固定用ネジの貫通位置におけるアダプタ側のカバーとその反対側にあるカバーとの間に筒状スタッドを立設・介装させた構造とし、固定用ネジが筒状スタッドを貫通してアダプタ側のネジ孔に螺合・締着されるようにすればよく、前記問題点を合理的に解消できる。
【００１４】
【発明の実施の形態】
以下、本発明の実施形態を、図１から図８を用いて詳細に説明する。
《実施形態１》
先ず、図１はこの実施形態に係る車載用の無線機とアダプタの外観斜視図及び各ネジの取り付け態様を示す。
同図に示すように、アダプタ１は回動軸２とブラケット３からなり、そのブラケット３はプレス加工によって一体的に形成された軸受部分４と基台部分５で構成されており、回動軸２がその軸受部分４で軸支されている。
【００１５】
ここで、回動軸２は、丸棒の側面の両端寄りに２つのネジ孔６，７が貫通形成されており、また中央部分にピン孔８が貫通形成されたものであり、それらのネジ孔６，７とピン孔８は回動軸２の軸方向に沿って整列した位置に設定されている。
【００１６】
一方、ブラケット３は、方形の金属板に対する次のようなプレス加工手順で形成されたものである。
（１）  基台部分５に相当する領域に取り付け用の孔９，１０を打ち抜き形成する。
（２）  前記（１）と同時に又は別工程で、軸支されるべき回動軸２のネジ孔６，７及びピン孔８に対応する位置に、回動軸２の回動角度（無線機の所要傾斜角度に相当）を考慮した長孔１１，１２，１３を打ち抜き形成する。
（３）  軸受部分４に相当する領域における両側の一定区間と中央の区間とを分割するスリットを形成する。但し、この工程は前記（１）や（２）の工程に先行させてもよい。
（４）  回動軸２の半径を曲率半径とした半月状金型で軸受部分４に相当する領域の全体を上側へ隆起させる。
（５）  前記（４）で隆起させた部分の内、前記（３）で形成されたスリットで分割された両側の一定区間のみを前記（４）と同様の半月状金型で圧下して双峰波形状に形成し、中央区間の隆起部分１４と圧下された両側区間の陥凹部分１５との間に回動軸２の軸支機構を構成する。
尚、前記（４）と（５）で形成される形状は、上下の金型を最終形状が得られるように形成しておき、一回のプレス工程で加工させることも可能である。
【００１７】
そして、回動軸２を前記手順で形成されたブラケット３の各陥凹部分１５に横架させる態様で挿入すると、前記（２）で形成されている各長孔１１，１２と１３からそれぞれネジ孔６，７とピン孔８が表れるが、ピン孔８に対してピン１６を圧入することで、図２［（Ａ）は平面図，（Ｂ）は正面図，（Ｃ）は側面図］に示すようなアダプタ１が完成する。
尚、ピン１６は長孔１３の内壁に係合する小突起となるように圧入され、隆起部分１４の表面より上側へは突出しておらず、圧入されたピン１６は回動軸２がブラケット３に対して軸方向へ移動しないようにすると共に、各長孔１１，１２の内側に各ネジ孔６，７が常に表れる状態を保つ拘束機能を有する。
【００１８】
このようにして完成したアダプタ１は、基台部分５に形成されている孔９，１０を利用してダッシュボードの棚面４０に対してビス止め固定される。尚、図１ではアダプタ１の四隅にある孔９，１０を利用してビス１７で固定する状態を示してある。
【００１９】
一方、図１において、無線機２１の厚み（高さ）方向には、前記アダプタ１側の各ネジ孔６，７の間隔に相当する距離を隔てて貫通孔２２，２３が形成されている。
即ち、それら貫通孔２２，２３は、上面カバーから底面カバーまで、内部シャーシやそれに搭載されているプリント配線基板等にも抵触しない孔であり、無線機２１の設計・製造・組み立て段階でその構成が満たされるように考慮されている。
【００２０】
そして、無線機２１の各貫通孔２２，２３に各固定用ネジ２４，２５を貫通させ、ダッシュボードの棚面４０に固定されたアダプタ１の各ネジ孔６，７にその先端のネジ部を螺合させて締め付けることにより、無線機２１がアダプタ１に取り付けられる。
この場合、当然に各固定用ネジ２４，２５は無線機２１の厚みよりも長く、アダプタ１の各ネジ孔６，７に螺合した際に下側へ突出しない長さに設定されている。
【００２１】
したがって、無線機２１を水平に保った状態でアダプタ１に取り付けると、図３に示すような態様でダッシュボードの棚面４０に設置されることになるが、各固定用ネジ２４，２５を強力に締め付けない状態ではアダプタ１の回動軸２が軸受部分４の中で回動自在であり、各固定用ネジ２４，２５とピン１６は長孔１１，１２と１３の範囲内で回動軸２の軸心廻りに揺動でき、且つアダプタ１におけるブラケット３の隆起部分１４の表面は略円弧状曲面を呈していることから、図４に示すように、無線機２１全体の傾斜角度を自在に調整できる。
そして、無線機２１を所望の傾斜角度（θ）に調整して各固定用ネジ２４，２５を強力に締め付けると、無線機２１はその角度でアダプタ１に固定される。
【００２２】
その場合、各固定用ネジ２４，２５の締め付け作業は無線機２１の上側から行うことができ、図３に示すように、ダッシュボードの両側壁４０ａ，４０ｂの間隔が狭く、無線機２１の側面との間に十分な空間が確保できないような場合においても、何等の支障もなく設置作業を遂行できる。
【００２３】
《実施形態２》
この実施形態の設置方式は図５に示される。
実施形態１によると、図３及び図４に示すように、無線機２１の底面カバーとアダプタ１の軸受部分４とは平面と円弧状曲面の当接条件で接しており、また双方の面は金属面であるために摩擦係数が小さい。
そのため、無線機２１が回動しないようにするには各固定用ネジ２４，２５を強力に締め付けて十分な摩擦力を与える必要がある。
しかし、無線機２１の底面カバーや上面カバーは薄板で構成されていることが多く、各固定用ネジ２４，２５を強力に締め付けると変形してしまう。
【００２４】
そこで、この実施形態では、無線機２１の底面カバーとアダプタ１の軸受部分４との間に薄いゴム製板（又は樹脂製板）２６を挟装して各固定用ネジ２４，２５を締め付けるようにしてある。
そのゴム製板２６は、図６（Ａ）に示すように、アダプタ１側と無線機２１の当接領域に応じた方形状の平板であり、アダプタ１側のネジ孔６，７に対応する位置に孔２６ａ，２６ｂが形成されており、各固定用ネジ２４，２５がそれらの孔２６ａ，２６ｂを貫通して回動軸２に螺着される。
このように、ゴム製板２６を挟装することによって、前記の摩擦係数を大きくでき、ゴム製板２６が適当に変形して当接面積も大きくなるため、各固定用ネジ２４，２５の締め付けをあまり強力にしなくても無線機２１をアダプタ１側に固定できる。
また、無線機２１の傾斜角度を調整する作業も容易になり、無線機２１の底面カバーが傷付くことを防止できるという効果もある。
更に、前記のゴム製板２６に代えて、図６（Ｂ）に示すようなゴム製板２７と金属板２８を貼り合わせた重合板２９を適用すれば、無線機２１の底面カバーに対する押圧力を分散でき、底面カバーの撓み変形を抑制できる。
【００２５】
《実施形態３》
この実施形態は、実施形態１及び２を更に改善し、無線機２１の上面カバーや底面カバーの変形を懸念することなく各固定用ネジ２４，２５を締め付けることができるようにしたものである。
その構成は図７に示され、無線機２１における各固定用ネジ２４，２５が貫通する位置の上面カバー３０と底面カバー３１の間にそれぞれ筒状のスタッド３２を立設させて、各固定用ネジ２４，２５の締め付け力を各スタッド３２で担うようにしている。
また、各スタッド３２はそのフランジ部３２ａよって内部シャーシ３３に対して固定されており、アダプタ１側との関係で無線機２１全体が各スタッド３２によって支持される機構が構成されている。
【００２６】
したがって、各固定用ネジ２４，２５を強力に締め付けても上面カバー３０と底面カバー３１が変形することがなく、無線機２１を所望傾斜角の状態で完全に固定することが可能になる。
【００２７】
ところで、例えば、特願平１１−２６１０３４号の「電子機器の筐体構造」のように、無線機によっては筐体全体をアルミニウムやマグネシウム合金等のダイカストで構成することがある。
即ち、外部筐体を上側ハウジングと下側ハウジングとの割型で構成し、一方の割型に電子部品を搭載したプリント配線基板を取り付けておき、各ハウジング同士を接合させることで外部筐体を組み立てるものである。
そのような筐体構造の場合には、前記の各実施形態のように、パネル状の上面カバーや底面カバーと異なり各固定用ネジ２４，２５の締め付けによって撓むことはないが、ダイカスト製品である上側ハウジングと下側ハウジングの平面積が大きいと、締め付け力によって割れやクラックが生じることがあり、やはり補強対策が必要となる。
【００２８】
そこで、そのような筐体構造の場合には、図８に示すような構成を採用することが考えられる。
同図において、３４は上側ハウジング、３５は下側ハウジング、３６はプリント配線基板であり、各ハウジング３４，３５における各固定用ネジ２４，２５が貫通する位置には、各ハウジング３４，３５の平板面から接合面までの高さを有した筒状のスタッド部３４ａ，３５ａが一体的に形成されている。
当然に、それらスタッド部３４ａ，３５ａは各ハウジング３４，３５を鋳造する際に一体で成型でき、別部品として用意しておく必要はない。
【００２９】
したがって、図８のように上側ハウジング３４と下側ハウジング３５が組み合わされて無線機２１が完成した状態では各スタッド部３４ａ，３５ａの端面が接合し、図７で示したスタッド３２と同様に各固定用ネジ２４，２５の締め付け力を担い、同様の機能を果たす。
【００３０】
尚、上記の各実施形態では２本の固定用ネジ２４，２５によって無線機２１をアダプタ１に固定する方式を説明したが、固定用ネジを何本にするかは無線機のサイズや重量に応じて任意に選択でき、無線機が小型・軽量である場合には単一の固定用ネジで固定することも可能であり、その場合には、ダッシュボードの両側壁の間隔で許容される範囲で、無線機を固定用ネジの廻りに回動させて操作パネル面の角度を調整することも可能になる。
また、上記の各実施形態ではブラケット３に対する回動軸２の移動・回動拘束条件を長孔１３とピン８の係合関係によって与えているが、そのような機構に限定されるものではなく、前記条件を実現できる機構であれば足りる。
【００３１】
【発明の効果】
本発明の「電子機器の設置方式」は、以上の構成を有していることにより、次のような効果を奏する。
請求項１の発明は、電子機器をアダプタによって所望の傾斜角度に設定して設置する場合に、設置場所の幅が狭く電子機器の側部に十分な空間が確保できないときにも、前記傾斜角度の調整と電子機器の固定を簡単な作業で行うことを可能にする。
特に、車載用の無線機等を自動車のダッシュボードに取り付けるような場合に、極めて有効な方式を提供する。
請求項２の発明は、請求項１の発明に適用されるアダプタをプレス加工で簡単に形成することを可能にする。
請求項３の発明は、電子機器とアダプタの間の摩擦を大きくし、固定用ネジの締め付け力をあまり大きくしなくても安定した固定条件を得ることを可能にする。
請求項４の発明は、アダプタに対して電子機器を固定する際に、固定用ネジを強力に締め付けても電子機器の外部筐体に変形や破損等を与えないようにし、確実な固定条件を実現する。
【図面の簡単な説明】
【図１】本発明の実施形態１に係るアダプタと無線機の外観斜視図とそれらの取り付け態様を示す図である。
【図２】アダプタの平面図（Ａ）と正面図（Ｂ）と側面図（Ｃ）である。
【図３】自動車のダッシュボードにアダプタを介して無線機が設置された状態を示す正面図である。
【図４】無線機の傾斜角度の設定状態を示す側面図である。
【図５】実施形態２に係る無線機の設置状態を示す側面図である。
【図６】実施形態２で用いられるゴム製板（Ａ）と重合板（Ｂ）の外観斜視図である。
【図７】実施形態３に係る無線機の設置状態を示す側面図である。但し、無線機の要部を一部破断してスタッドの立設・固定態様が示されている。
【図８】実施形態３に係る無線機（外部筐体がダイカスト製品である上下のハウジングで構成されている場合）の設置状態を示す側面図である。但し、無線機の要部を一部破断してスタッド部の構成態様が示されている。
【図９】従来技術に係る設置用ブラケットに無線機が取り付けられた状態を示す外観斜視図である。
【図１０】図９の従来技術に係る設置用ブラケットを用いて無線機を自動車のダッシュボードに設置した状態を示す正面図である。
【符号の説明】
１…アダプタ、２…回動軸、３…ブラケット、４…軸受部分、５…基台部分、６，７…ネジ孔、８…ピン孔、９，１０…取り付け用の孔、１１，１２，１３…長孔、１４…隆起部分、１５…陥凹部分、１６…ピン、１７…ビス、２１…無線機、２２，２３…貫通孔、２４，２５…固定用ネジ、２６…ゴム製板、２６ａ，２６ｂ…孔、２７…ゴム製板、２８…金属板、２９…重合板、３０…上面カバー、３１…底面カバー、３２…スタッド、３２ａ…フランジ部、３３…プリント配線基板、３４…上側ハウジング、３４ａ…スタッド部、３５…下側ハウジング、３５ａ…スタッド部、３６…プリント配線基板、４０…ダッシュボードの棚面、４０ａ，４０ｂ…ダッシュボードの側壁、５１…無線機、５２…ブラケット、５３…底板部分、５４，５５…側板部分、５６…ダッシュボード、５７…丸孔、５８…長孔、５９，６０…側面カバー、６１，６２…ネジ。
【図１】
0003553839.tif 000002
【図２】
0003553839.tif 000003
【図３】
0003553839.tif 000004
【図４】
0003553839.tif 000005
【図５】
0003553839.tif 000006
【図６】
0003553839.tif 000007
【図７】
0003553839.tif 000008
【図８】
0003553839.tif 000009
【図９】
0003553839.tif 000010
【図１０】
0003553839.tif 000011